(57)【要約】【課題】  内引出しの連動とその解除を切り替えることのできる引出し装置を提供すること。【解決手段】  連動手段は、引出し３または内引出し４のいずれか一方に設けられた電磁石６と、他方に設けられた磁性体８と、電磁石と磁性体の吸着およびその解除を切り替える切替え手段とを備えている。【選択図】図１
2006141797.tif 000002
【特許請求の範囲】
【請求項１】
引出しと、引出しの内部に配置された内引出しと、内引出しの引き出し動作を引出しに連動させる連動手段とを備えた引出し装置において、連動手段は、引出しまたは内引出しのいずれか一方に設けられた電磁石と、他方に設けられた磁性体と、電磁石と磁性体の吸着およびその解除を切り替える切替え手段とを備えていることを特徴とする引出し装置。
【請求項２】
請求項１記載の引出し装置において、切替え手段は、電磁石のＯＮ／ＯＦＦを切り替えることを特徴とする引出し装置。
【請求項３】
請求項１記載の引出し装置において、磁性体は永久磁石であり、切替え手段は、電磁石の磁極を切り替えることを特徴とする引出し装置。
【発明の詳細な説明】
【技術分野】
【０００１】
本願発明は、引出しの内部に内引出しが配置された引出し装置に関するものである。
【背景技術】
【０００２】
引出しの内部に内引出しが配置された引出し装置が、たとえばキッチンキャビネット等について知られている。このような引出し装置では、内引出しの引き出し操作のために、引出しをまず引き出さなければならないという計２回の引き出し操作を解消するための工夫がなされている（たとえば、特許文献１参照）。
【０００３】
上記特許文献１記載の引出し装置では、引出しの扉裏面と内引出しの前面にマグネットが配設され、引出しの引き出し操作に連動させて内引出しを引き出させるようにしている。
【特許文献１】特開２００３−２８４６１４号公報
【発明の開示】
【発明が解決しようとする課題】
【０００４】
しかしながら、上記特許文献１記載の引出し装置では、引出しを引き出すと必ず内引出しも引き出される。このため、引出しのみを引き出すことができず、また、内引出しの最大引き出し長さ以内の任意の位置で内引出しの連動動作を解除することができない。
【０００５】
本願発明は、このような事情に鑑みてなされたものであり、内引出しの連動とその解除を切り替えることのできる引出し装置を提供することを課題としている。
【課題を解決するための手段】
【０００６】
本願発明は、上記の課題を解決するために、第１には、引出しと、引出しの内部に配置された内引出しと、内引出しの引き出し動作を引出しに連動させる連動手段とを備えた引出し装置において、連動手段は、引出しまたは内引出しのいずれか一方に設けられた電磁石と、他方に設けられた磁性体と、電磁石と磁性体の吸着およびその解除を切り替える切替え手段とを備えていることを特徴としている。
【０００７】
本願発明は、第２には、上記第１の特徴に加え、切替え手段は、電磁石のＯＮ／ＯＦＦを切り替えることを特徴としている。
【０００８】
本願発明は、第３には、上記第１の特徴に加え、磁性体は永久磁石であり、切替え手段は、電磁石の磁極を切り替えることを特徴としている。
【発明の効果】
【０００９】
本願発明の第１から第３の特徴を有する引出し装置によれば、内引出しの引出しとの連動とその解除を切り替えることができる。内引出しを引き出したいときには引出しに連動させ、引出しのみを引き出したいときには、内引出しの連動を解除することができる。また、内引出しの最大引出し長さ以内の任意の位置で内引出しの連動を解除することもできる。使い勝手の良好な引出し装置が実現される。
【発明を実施するための最良の形態】
【００１０】
図１は、本願発明の引出し装置の一実施形態を示した縦断面図である。
【００１１】
引出し装置１はキャビネット２に組み込まれている。引出し装置１は、前後動が可能とされた引出し３と、同じく前後動が可能とされた内引出し４を備えている。引出し３および内引出し４は、ともに、物品の収納および取出しが可能となっている。内引出し４は、引出し３の内部に配置されている。
【００１２】
この引出し装置１では、引出し３の扉５の裏面に電磁石６が設けられ、内引出し４の前面部７に磁性体８が設けられている。電磁石６と磁性体８が互いに引き合う方向に磁力が生ずるときは、電磁石６と磁性体８は吸着し、内引出し４が引出し３に連結される。したがって、引出し３を引き出すと、図１に示したように、内引出し４は引出し３の引き出しに連動して引き出される。一方、電磁石６と磁性体８の吸着が解除されるとき、電磁石６と磁性体８は分離し、引出し３を引き出すと、引出し３のみが引き出され、内引出し４は引き出されない。図２に示したように、引出し３を引き出す以前に電磁石６と磁性体８の吸着を解除しておくと、内引出し４は開かれず、引出し３のみの引き出しが可能となる。また、図３に示したように、内引出し４の最大引き出し長さ以内の任意の位置において電磁石６と磁性体８の吸着を解除すると、吸着が解除された時点で内引出し４の連動が断ち切られ、引出し３のみの引き出しが可能となる。
【００１３】
このように、引出し装置１は、電磁石６と磁性体８の吸着およびその解除を行う切替え手段を備えている。そして、この切替え手段と、電磁石６および磁性体８とにより連動手段を構成している。
【００１４】
以上の切替え手段は、たとえば、電磁石６のＯＮ／ＯＦＦの切替えを行うものとすることができる。この場合、たとえば、電磁石６のＯＮ／ＯＦＦを行うスイッチ９を引出し３の扉５の表面に設けることができる。スイッチ９を入り切りすることにより電磁石６はＯＮ／ＯＦＦし、電磁石６がＯＮのときに磁性体８との吸着が得られ、電磁石６がＯＦＦにされるとき、磁性体８の吸着が解除される。
【００１５】
また、切替え手段は、たとえば、電磁石６の磁極を切り替えるものとすることができる。この場合、磁性体８は永久磁石とする。電磁石６の磁極を切り替えるスイッチ等を引出し３の扉５の表面に設けておき、内引出し４を連動させる場合には、永久磁石の磁極と反対の磁極となるように電磁石６を磁化させる。電磁石６と永久磁石は互いに引き合うように吸着し、引出し３と内引出し４が連結する。一方、内引出し４を連動させない場合には、永久磁石の磁極と反対の磁極に電磁石６を磁化させ、永久磁石との間に反発力を発生させる。この反発力により、引出し３と内引出し４は連動せず、引出し３を引き出すと、引出し３のみが引き出される。
【００１６】
なお、本願発明の引出し装置における切替え手段では、電磁石６は、引出し３と内引出し４のいずれか一方に設けられればよく、図１に示した引出し装置１とは逆に、内引出し４に電磁石６を設けることもできる。この場合、引出し３には、永久磁石等の磁性体８が設けられる。
【図面の簡単な説明】
【００１７】
【図１】本願発明の引出し装置の一実施形態を示した縦断面図である。
【図２】図１に示した引出し装置の動作の一例を示した縦断面図である。
【図３】図１に示した引出し装置の動作の一例を示した縦断面図である。
【符号の説明】
【００１８】
１    引出し装置
２    キャビネット
３    引出し
４    内引出し
５    扉
６    電磁石
７    前面部
８    磁性体
９    スイッチ
【図１】
2006141797.tif 000003
【図２】
2006141797.tif 000004
【図３】
2006141797.tif 000005